(57)【特許請求の範囲】
【請求項１】
低電力モードと通常電力モードとの間で切り替え可能な装置の電力状態を制御する方法であって、当該装置は２つ以上の他の装置に接続されており、
前記通常電力モードにあるとき、前記２つ以上の他の装置のうちの関連装置の電力状態を監視することと、
前記２つ以上の他の装置のうちの前記関連装置の全てが前記低電力モードにあることに応答して、前記装置を前記低電力モードに切り替えることと、
前記低電力モードにあるとき、前記２つ以上の他の装置のうちの前記関連装置が前記通常電力モードに移行したか否かを監視することと、
前記２つ以上の他の装置のうちの前記関連装置が前記通常電力モードに移行したことに応答して、前記装置を前記通常電力モードに切り替えることと、
を含み、
前記関連装置は、前記装置の電力状態設定モードが活性化されているときに、前記低電力モードから前記通常電力モードに切り替わるものとして検出された装置である、前記方法。
【請求項２】
低電力モードと通常電力モードとの間で切り替え可能な装置の電力状態を制御する方法であって、当該装置は２つ以上の他の装置に接続されており、
前記低電力モードにあるとき、前記２つ以上の他の装置のうちの関連装置の電力状態を監視することと、
前記２つ以上の他の装置のうちの前記関連装置の全てが低電力モードにあることに応答して、前記装置を前記通常電力モードに切り替えることと、
を含み、
前記関連装置は、前記装置の電力状態設定モードが活性化されているときに、前記通常電力モードから前記低電力モードに切り替わるものとして検出された装置である、前記方法。
【請求項３】
前記通常電力モードにあるとき、前記２つ以上の他の装置のうちの前記関連装置が前記通常電力モードに移行したか否かを監視することと、
前記２つ以上の他の装置のうちの前記関連装置が前記通常電力モードに移行したことに応答して、前記装置を前記低電力モードに切り替えることと、
を更に含む、請求項２記載の方法。
【請求項４】
前記関連装置についての情報はメモリから取り出される、請求項１に記載の方法。
【請求項５】
前記２つ以上の他の装置のうちの前記関連装置の前記電力状態は、プロトコルメッセージまたはハンドシェイクを監視すること、およびアクティブプロービングのうちの少なくとも１つを用いて監視される、請求項１に記載の方法。
【請求項６】
装置の電力状態制御を設定する方法であって、当該装置は２つ以上の他の装置に接続されており、
電力状態設定モードを活性化することと、
前記接続された前記２つ以上の他の装置のうちのどれが低電力モードから通常電力モードに切り替わるかを検出することと、
前記電力状態設定モードを終了することと、
前記低電力モードから前記通常電力モードに切り替わるものとして検出された前記他の装置を関連装置としてその情報をメモリに格納することと、
を含み、
前記電力状態制御は、前記関連装置の全てが低電力モードにあるとき前記装置を前記低電力モードに切り替え、あるいは前記関連装置の１つ以上が前記通常電力モードにあるとき前記装置を前記通常電力モードに切り替えるように設定される、前記方法。
【請求項７】
装置の電力状態制御を設定する方法であって、当該装置は２つ以上の他の装置に接続されており、
電力状態設定モードを活性化することと、
前記接続された前記２つ以上の他の装置のうちのどれが通常電力モードから低電力モードに切り替わるかを検出することと、
前記電力状態設定モードを終了することと、
前記通常電力モードから前記低電力モードに切り替わるものとして検出された前記他の装置を関連装置としてその情報をメモリに格納することと、
を含み、
前記電力状態制御は、前記関連装置の１つ以上が通常電力モードにあるとき前記装置を前記低電力モードに切り替えるように設定される、前記方法。
【請求項８】
前記通常電力モードまたは前記低電力モードにある前記接続された他の装置だけの情報が、少なくとも特定の時間期間に、関連装置として前記メモリに格納される、請求項６記載の方法。
【請求項９】
前記２つ以上の接続された他の装置のうちのどれが前記通常電力モードまたは前記低電力モードにあるかを検出することは、プロトコルメッセージまたはハンドシェイクを監視すること、およびアクティブプロービングのうちの少なくとも１つを用いる、請求項６に記載の方法。
【請求項１０】
前記電力状態設定モードは、電力状態設定モード時間ウインドウの満了後に自動的に終了する、請求項６に記載の方法。
【請求項１１】
低電力モードと通常電力モードとの間で切り替え可能な装置の電力状態を制御するコントローラであって、該装置は２つ以上の他の装置に接続されており、
当該コントローラが、
前記通常電力モードにあるとき、前記２つ以上の他の装置のうちの関連装置の電力状態を監視することと、
前記２つ以上の他の装置のうちの前記関連装置の全てが前記低電力モードにあることに応答して前記装置を前記低電力モードに切り替えることと、
前記低電力モードにあるとき、前記２つ以上の他の装置のうちの前記関連装置が前記通常電力モードに移行したか否かを監視することと、
前記２つ以上の他の装置のうちの前記関連装置が前記通常電力モードに移行したことに応答して、前記装置を前記通常電力モードに切り替えることと、
を実行するように構成され、
前記関連装置は、前記装置の電力状態設定モードが活性化されているときに、前記低電力モードから前記通常電力モードに切り替わるものとして検出された装置である、前記コントローラ。
【請求項１２】
低電力モードと通常電力モードとの間で切り替え可能な装置の電力状態を制御するコントローラであって、該装置は２つ以上の他の装置に接続されており、
当該コントローラが、
前記低電力モードにあるとき、前記２つ以上の他の装置のうちの関連装置の電力状態を監視することと、
前記２つ以上の他の装置のうちの前記関連装置の全てが低電力モードにあることに応答して、前記装置を前記通常電力モードに切り替えることと、
を実行するように構成され、
前記関連装置は、前記装置の電力状態設定モードが活性化されているときに、前記通常電力モードから前記低電力モードに切り替わるものとして検出された装置である、前記コントローラ。
【請求項１３】
装置の電力状態制御を設定するコントローラであって、該装置は２つ以上の他の装置に接続されており、
当該コントローラが、
電力状態設定モードを活性化することと、
前記接続された前記２つ以上の他の装置のうちのどれが低電力モードから通常電力モードに切り替わるかを検出することと、
前記電力状態設定モードを終了することと、
前記低電力モードから前記通常電力モードに切り替わるものとして検出された前記他の装置を関連装置としてその情報をメモリに格納することと、
を実行するように構成され、
前記電力状態制御は、前記関連装置の全てが低電力モードにあるとき前記装置を前記低電力モードに切り替え、あるいは前記関連装置の１つ以上が前記通常電力モードにあると
き前記装置を前記通常電力モードに切り替えるように設定される、前記コントローラ。
【請求項１４】
装置の電力状態制御を設定するコントローラであって、該装置は２つ以上の他の装置に接続されており、
当該コントローラが、
電力状態設定モードを活性化することと、
前記接続された前記２つ以上の他の装置のうちのどれが通常電力モードから低電力モードに切り替わるかを検出することと、
前記電力状態設定モードを終了することと、
前記通常電力モードから前記低電力モードに切り替わるものとして検出された前記他の装置を関連装置としてその情報をメモリに格納することと、
を実行するように構成され、
前記電力状態制御は、前記関連装置の１つ以上が通常電力モードにあるとき前記装置を前記低電力モードに切り替えるように設定される、前記コントローラ。
【請求項１５】
前記コントローラは、
前記通常電力モードにあるとき、前記２つ以上の他の装置のうちの前記関連装置が前記通常電力モードに移行したか否かを監視することと、
前記２つ以上の他の装置のうちの前記関連装置が前記通常電力モードに移行したことに応答して、前記装置を前記低電力モードに切り替えることと、
を実行するように構成される、請求項１２記載のコントローラ。
【請求項１６】
前記コントローラは、前記関連装置についての情報はメモリから取り出すように構成される、請求項１１に記載のコントローラ。
【請求項１７】
前記コントローラは、プロトコルメッセージまたはハンドシェイクを監視すること、およびアクティブプロービングのうちの少なくとも１つを用いて、前記２つ以上の他の装置のうちの前記関連装置の前記電力状態を監視するように構成される、請求項１１に記載のコントローラ。
【請求項１８】
前記コントローラは、前記通常電力モードまたは前記低電力モードにある前記接続された他の装置だけの情報が、それぞれ、少なくとも特定の時間期間に、関連装置として前記メモリに格納するように構成される、請求項１３記載のコントローラ。
【請求項１９】
前記コントローラは、前記２つ以上の他の装置のうちのどれが前記通常電力モードまたは前記低電力モードにあるかを検出するために、プロトコルメッセージまたはハンドシェイクを監視すること、およびアクティブプロービングのうちの少なくとも１つを用いるように構成される、請求項１３に記載のコントローラ。
【請求項２０】
前記コントローラは、電力状態設定モード時間ウインドウの満了後に前記電力状態設定モードを自動的に終了するように構成される、請求項１３に記載のコントローラ。
【発明の詳細な説明】
【技術分野】
【０００１】
本発明は装置の電力状態を制御するための方法及びコントローラに関する。特に、装置を低電力モードに設定するときに制御する方法及びコントローラが記載されている。
【背景技術】
【０００２】
消費電力を最小限に抑えるために、増え続ける装置は低電力モード又はスタンバイ状態をサポートする。低電力モードから装置が活性化する例えば、いわゆる「ウェイク・オン・ラン(wake on lan)」、ＵＰｎＰ低電力、装置とのユーザインターラクション等の既存のメカニズムがあるが、装置を低電力モードに設定するときのロジックはまだ標準化された方法で定義されていない。
【０００３】
現在の実装では、装置は例えば、アクティビティ検出に基づいて低電力モードに移行するときを自動的に決定するか、又は時間のスケジュールに基づいて低電力モードに移行するときをエンドユーザが設定することができる。残念なことに、低電力状態に移行するときの自動検出は予測できない人間の行動のため課題となっている。例えば、時間範囲に基づいた低電力モードの事前スケジューリングはしばしば有用である。しかしながら、ホームネットワーク機器の使用が厳しいスケジュールに従わないときに、スケジューリングは常に適切なオプションではない。
【発明の概要】
【発明が解決しようとする課題】
【０００４】
本発明の目的は、装置電力状態制御のための改善されたソリューションを提案することである。
【課題を解決するための手段】
【０００５】
本発明の第１の態様によれば、この目的は、装置の電力状態を制御する方法によって達成され、前記装置は、２つ以上の他の装置に接続され、その方法は、前記２つ以上の他の装置のうちの関連装置の電力状態を監視するステップと、前記２つ以上の他の装置のうちの全ての関連装置が低電力モードにある場合に、前記装置を低電力モードに切り替えるステップと、を含む。
【０００６】
同様に、装置の電力状態を制御するコントローラであって、装置は、２つ以上の他の装置に接続され、前記２つ以上の他の装置のうちの関連装置の電力状態を監視するステップと、前記２つ以上の他の装置のうちの全ての関連装置が低電力モードにある場合に、前記装置を低電力モードに切り替えるステップと、を実行するように構成されている。
【０００７】
本発明は、接続された装置間の依存関係が実際にあるという事実を利用する。例えば、テレビでＩＰＴＶを視聴するためにはセットトップボックスの電源がオンされる必要がある。言い換えれば、テレビはセットトップボックスのための関連装置であり、その逆も同様である。テレビがセットトップボックスに依存するだけの場合、テレビが低電力モード又は電源オフであるとき、常にセットトップボックスは低電力モードに入ることができる。同様に、セットトップボックスがテレビの唯一の関連装置の場合、セットトップボックスが低電力モード又は電源オフであるとき、常にテレビは低電力モードに入ることができる。関連装置に関する必要な情報は、好ましくは、メモリから取り出される。関連装置の電力状態を監視するために、いくつかのソリューション、例えば、プロトコルメッセージ又はハンドシェイクの監視及びアクティブプロービング(active probing)が利用可能である。
【０００８】
上記の設定はパラレル電力設定として最も良く説明されている。この設定では、関連装置のいずれかが通常電力モードである限り、装置は通常電力モードのままとなり、全ての関連装置が低電力モードになっている場合に低電力モードに切り替わる。
【０００９】
好ましくは、装置は低電力モードにあるときには、２つ以上の他の装置のうちの関連装置が通常電力モードに入るかどうかを恒久的に又は繰り返し監視する。これが起こると、また、装置は通常電力モードに切り替わる。これは、関連装置のいずれかがオンされると装置が再び自動的にオンに切り替えられることを保証する。
【００１０】
本発明の更なる態様によれば、この目的は、装置の電力状態を制御する方法によって達成され、前記装置は、前記２つ以上の他の装置に接続され、前記方法は、前記２つ以上の他の装置のうちの関連装置の電力状態を監視するステップと、前記２つ以上の他の装置のうちの全ての関連装置が低電力モードにある場合に前記装置を通常電力モードに切り替えるステップと、を含む。
【００１１】
同様に、装置の電力状態を制御するコントローラであって、前記装置は、２つ以上の他の装置に接続され、前記コントローラは、前記２つ以上の他の装置のうちの関連装置の電力状態を監視するステップと、前記２つ以上の他の装置のうちの全ての関連装置が低電力モードにある場合に前記装置を通常電力モードに切り替えるステップと、を実行するように構成されている。
【００１２】
この設定を更に逆の電力設定として説明することができる。この設定では、装置は、関連装置のいずれかが通常電力モードである限り、低電力モードのままになり、全ての関連装置が低電力モードにあるときには通常電力モードに切り替わる。例えば、通常、テレビ及びテレビ受信用のセットトップボックス又はネットワークラジオが電源オンされている場合にはテレビ及びセットトップボックスが電源オフされているときにネットワークラジオは通常電力モードに移行する。装置が１つの関連装置だけを有する場合には設定を相互に排他的な電力設定として説明することができる。すなわち、関連装置が低電力モードに入るとき装置は通常電力モードに移行し、逆の場合も同じである。
【００１３】
好ましくは、装置は通常電力モードにあるときには、２つ以上の他の装置のうちの関連装置が通常電力モードに入るかどうかを恒久的又は繰り返し監視する。代わりに又は加えて、装置は、例えば、装置のＵＰｎＰ  ＳＳＤＰアドバタイズメントが電源オン又はオフすることによって通常電力モードに入る他の装置について通知することができる（ＵＰｎＰ:ユニバーサルプラグアンドプレイ(Universal Plug and Play)、ＳＳＤＰ:シンプルサービスディスカバリープロトコル(Simple Service Discovery Protocol)。これが起きると、装置は低電力モードに切り替わる。これは、関連装置のいずれかがオンにされたときに装置が自動的に再びオフに切り替えられることを保証する。
【００１４】
例えば、上記の例に戻って、テレビ又はセットトップボックスが電源オンされるとネットワークラジオが再び通常電力モードに入る。
【００１５】
エンドユーザがインストール又は（再）設定の間に、装置の電力状態の他の装置の電力状態への依存を判断することを可能にするために、装置の電力状態制御を設定する方法であって、前記装置は１つ以上の他の装置に接続され、前記方法は、電力状態設定モードを活性化するステップと、当該接続された１つ以上の他の装置のどれが通常電力モードにあるかを判別するステップと、前記電力状態設定モードを終了するステップと、通常電力モードにあるとして検出された他の装置を関連装置としてメモリに格納するステップと、を含む。
【００１６】
同様に、装置の電力状態を制御するコントローラであって、前記装置は１つ以上の他の装置に接続され、前記コントローラは、電力状態設定モードを活性化するステップと、当該接続された１つ以上の他の装置のどれが通常電力モードにあるかを判別するステップと、前記電力状態設定モードを終了するステップと、通常電力モードにあるとして検出された他の装置を関連装置としてメモリに格納するステップと、を実行するように構成されている。
【００１７】
電力状態制御を設定するために、エンドユーザは、必要ならば電源オフ及びオンサイクルで、この装置電力状態が依存するどの装置を電源オンするか尋ねられる。これは、実際に、この装置が他の装置にサービスを提供し、また、消費者がいない、すなわち、関連装置がない限り、機能的である必要がないことを意味する。電力状態設定モードの間に装置が現れて検出される場合に発見された全ての装置が電源オフか又は低電力モードにあるときに、設定された装置は低電力モードに移行する。よって、上記の設定方法はパラレル電力設定のために行われる。
【００１８】
勿論、ユーザが装置を低電力モードにさせる全ての装置をオンに切り替えることが要求させるように、その設定方法を変更することが同様に可能である。この場合に、電力状態設定モードの間に装置が現れて検出されるならば、発見された装置が電源オン又は通常電力モードであるときには設定された装置は低電力モードに移行する。よって、この設定方法は反対の電力設定のために行われる。
【００１９】
或いは、装置の電力状態制御を設定する方法であって、装置は１つ以上の他の装置に接続され、前記方法は、電力状態設定モードを活性化するステップと、当該接続された１つ以上の他の装置のどれが低電力モードにあることを検出するステップと、前記電力状態設定モードを終了するステップと、低電力モードにあるとして検出された他の装置を関連装置としてメモリに格納するステップと、を含む。
【００２０】
同様に、装置の電力状態制御を設定するコントローラであって、装置は１つ以上の他の装置に接続され、前記コントローラは、電力状態設定モードを活性化するステップと、当該接続された１つ以上の他の装置のどれが低電力モードにあることを検出するステップと、前記電力状態設定モードを終了するステップと、低電力モードにあるとして検出された他の装置を関連装置としてメモリに格納するステップと、を実行するように構成されている。
【００２１】
特に、反対の電源設定を設定するためには、装置を低電力モードにさせる装置をオフに切り替えるようにユーザに求めることがより適切であることがある。この場合には、電力状態設定モードの間に装置がオフに切り替えられるか又は低電力モードに設定されたことが検出されるならば、発見された装置が電源オンにされるか通常電力モードにあるときに設定された装置は低電力モードに移行する。
【００２２】
好ましくは、通常電力モード又は低電力モードになっているそれらの接続された他の装置だけが少なくとも特定の期間にメモリに格納される。これは、誤判定、すなわち、装置が電力状態設定モードの間にオン又はオフに間違って切り替わることを避けることに役立つ。また、電力状態設定モードは電力状態設定モードウインドウの満了後に好ましくは自動的に終了される。これはユーザが電力状態設定モードを手動で終了しなければならないことから解放される。
【００２３】
通常は１回だけ実行される必要がある提案の設定方法は、エンドユーザの好み及び習慣に基づいて、装置電力状態の依存関係上の制御をエンドユーザに提供する。
【００２４】
本発明は、多くの重要な利点を提供する。先ず、第一に、それは、他の既存の低電力モードソリューションと組み合わせて使用することができ、装置が低電力モード及び通常電力モードのいずれに入ることを決定するために異なる基準のうちの１つを構成している。また、それは、装置をユーザが期待するように動作させ、自動的に決定することができない電力状態の依存関係を作成する選択肢をユーザに提供する。更に、電力モード依存性の設定は、装置ユーザインターフェースを用いて複雑及び／又は冗長な設定処理を通して移行する必要性なく、非常に基本的なメカニズム（まさに、いくつかの物理的なインターラクション）を要求する。そのソリューションは、装置のユーザインターフェースに依存しないので、電力状態依存性モードをトリガするか、又はアクティブにある電力状態設定モードの表示を開始することができるならば任意の装置又はアプライアンスに適用することができる。
【００２５】
より良い理解のために、本発明は図面を参照しつつ以下の説明で詳細に説明される。なお、本発明はこの例示的な実施形態に限定されず、また、添付の特許請求の範囲に定義された如き本発明の範囲から逸脱することなく特定の特徴を適切に組み合わせる及び／又は修正することができることが理解される。
【図面の簡単な説明】
【００２６】
【図１】本発明による装置電力状態制御方法を概略的に示す図である。
【図２】本発明による装置電力状態制御を設定する方法を概略的に示す図である。
【図３】図１及び図２の方法を実施するように構成された装置を示す図である。
【図４】図１及び図２の方法を用いて実現されたシナリオ例を示す図である。
【図５】逆の電力モードの場合の装置電力状態制御のための本発明による方法を概略的に示す図である。
【発明を実施するための形態】
【００２７】
図１は、装置の電源状態を制御する本発明による方法を概略的に示す図である。装置は他の装置がオフに切り替えられるか又は低電力モードに移行されるかどうかを恒久的に又は繰り返しチェックする（１０）。これがその場合には、オフ又は低電力モードにない、残った関連装置があるか否かが判別される（１１）。関連装置の全てがオフ又は低電力モードにあることが一度検出されると、また、装置は低電力モードに移行する（１２）。この低電力モードでは、装置は関連装置のいずれかが再びオンに切り替えられたか又は低電力モードから解除されたかどうかを監視する（１３）。これが一度起こると、装置は再び通常電力モードに切り替わる（１４）。
【００２８】
本発明は、実際に接続された装置間に依存関係があるという事実を利用する。例えば、テレビでＩＰＴＶを視聴するためにはセットトップボックスは電源オンされる必要がある。言い換えれば、テレビはセットトップボックスのための関連装置であり、その逆もまた同様である。テレビだけがセットトップボックスに依存する場合にはテレビが低電力モードにある又は電源オフされているときはいつでもセットトップボックスは低電力モードに移行することができる。同様に、セットトップボックスがテレビの唯一の関連装置である場合には、セットトップボックスが低電力モード又は電源オフであるときはいつでもテレビは低電力モードに移行することができる。
【００２９】
他の装置の電力状態を検出するために異なるメカニズムを使用することができる。そのようなメカニズムの例は、電源をオン及びオフする装置のＵＰｎＰ  ＳＳＤＰアドバタイズメント（ＵＰｎＰ：ユニバーサルプラグアンドプレイ(Universal Plug and Play)、ＳＳＤＰ：シンプルサービスディスカバリープロトコル(Simple Service Discovery Protocol)）、ＵＰｎＰの低電力（参照：http://upnp.org/specs/lp/lpl /）、ＤＨＣＰメッセージに基づいたパッシブディスカバリー（ＤＨＣＰ：ダイナミックホスト設定プロトコル）、装置が現在アクティブか否かを検出するために、例えば、ＡＰＲ（アドレス解決プロトコル）メッセージを使用するアクティブ及び周期的なプロービングである。
【００３０】
接続された装置間の依存関係を利用するために、装置の電力状態制御を設定する必要がある。装置の電力状態制御を設定するための例示的な方法は、図２に示されている。装置のインストール段階又はエンドユーザによってトリガされる時には、電力状態設定モードは始動される（２０）。ユーザが例えば、装置上の物理的なボタンを押すことによって、このモードをトリガすることができても良い。現在の装置モードは、好ましくは、装置のユーザインターフェースを介して、又は省電力のライトの点滅などのＬＥＤライト表示を使用してユーザに示される。電力状態設定モードの時間ウインドウｔｄｍの間に、ユーザは設定されている装置に関連しているホームネットワークに存在する装置を電源オン又は電源オフしてから電源オンする。その装置は、接続されたいずれかの装置が電源オンされているかを恒久的又は繰り返しチェックする（２１）。もちろん、それは電力状態設定モードを開始する前に、関連装置を電源オンすることも同様に可能である。どのような場合でも、そのような接続された装置が発見されたならば、装置が時間ｔｄの特定の期間の間に電源オンのままでいるか否かを判定する発見装置のためのストップウオッチが開始される（２２）。この方法では、誤判定、すなわち装置が誤って電源オンになっている状態を、再びこれらの装置を電源オフにすることによって回避することができる。この時間ｔｄの期間は装置の最初の発見から始まり、電力状態設定モードよりも長く続いても良い。もちろん、時間ｔｄの最小期間を特定することなく電力状態の設定を同様に実行することができる。電力状態設定モードの時間ウインドウが経過したことが判定された場合に（２３）、電力状態設定モードは終了される（２４）。少なくとも時間ｔｄの特定の期間の間に電源オンのままであるそれらの発見された装置は、関連装置のリストに格納される（２５）。
【００３１】
更に、接続された装置の電源オンを検出するために別のメカニズムを用いても良い。そのようなメカニズムの例は、ＵＰｎＰ  ＳＳＤＰメッセージ、ＤＨＣＰ発見(discover)メッセージ、ＨＤＭＩ（登録商標）ハンドシェイク（ＨＤＭＩ：高品位マルチメディアインターフェース）、ＡＲＰメッセージ  ｍＤＮＳメッセージ（ｍＤＮＳ：マルチキャストドメインネームサービス）である。
【００３２】
図１及び図２の方法を実施するように構成された装置３０は、図３に概略的に示されている。装置３０は、他の装置４０を個別に又はネットワーク４１を介して接続する１つ以上のインターフェース３１ａ，３１ｂを備えている。コントローラ３２は、接続された装置４０の電力モードを監視し、装置３０の電力モードを制御する。ユーザがユーザインターフェース３３を介して電力状態設定モードを開始するとき、コントローラ３２は電源オンにある接続された装置４０をチェックし、接続された装置４０毎にストップウオッチ３４を開始して関連装置を判別する。電力状態設定の終了時に、検出された全ての関連装置についての情報がメモリ３５に格納される。
【００３３】
次に、本発明の実施のための２つの例が与えられる。最初の例によれば、ユーザは自宅でＳＴＢ（セットトップボックス）を設置する。その設置プロセスの一部として、装置は電力状態設定モードに移行し、それはＬＥＤライト又は表示メッセージを介して示されている。ＳＴＢの電力状態設定モード時間ウインドウ、例えば、３分の間に、テレビは電源オンされ、例えば、ＨＤＭＩを介して、１つの期間の間にＳＴＢによって電源オンされ発見される。電力状態設定モード時間ウインドウが終了し、テレビが唯一の発見された装置である。その後、テレビはリモートコントロールを介したエンドユーザインターラクション又はスリープタイマ終了のために低電力モード、例えば、「スタンバイ」に移行するときはいつも、ＳＴＢは低電力モードに自動的に移行する。
【００３４】
別の例は、同様のプロセスであり、その場合にはディジタルメディアサーバ、例えば、ＤＬＮＡ  ＤＭＳが電力状態設定モードをサポートする。このモード中に、ディジタルメディアサーバは、ＳＴＢ及びネットワークラジオを発見し、ネットワークラジオはインターネットから及びローカルディジタルメディアサーバから音楽をストリーミングすることができる。ディジタルメディアサーバは、ＳＴＢ及びネットワークラジオの両方が低電力モードにあるか又は電源オフされていることを検出したときはいつも、低電力モードに移行する。ＳＴＢ又はネットワークラジオが再びアクティブになると直ちに、ＳＴＢ又はネットワークラジオはメディアストリーミングのためにディジタルメディアサーバを使用する可能性があるためディジタルメディアサーバは電源オンする。
【００３５】
図４は、ホームネットワークに４つの装置、すなわち、テレビ、ＳＴＢ（セットトップボックス）、ネットワークラジオ、ＤＭＳ（ディジタルメディアサーバ）が存在するシナリオを示している。その図では、装置の電力モード「通常モードＮ」及び「低電力モードＬ」が時間に対して示されている。その電力状態設定モードの間においてＳＴＢはｔ１でテレビだけを発見する。テレビがｔ２で低電力モード又は電源オフになると直ぐにＳＴＢは低電力モードに自動的に移行する。ＤＭＳはメディアコンテンツ、例えば、音楽、映画、及び画像をＳＴＢ及びネットワークラジオに提供する。その電力状態設定モードの間には、ＤＭＳはｔ３においてネットワークラジオ、ｔ４においてＳＴＢの両方を発見する。ＳＴＢ及びネットワークラジオの両方がｔ５で低電力モードにあるか又は電源オフされていると直ちにＤＭＳは低電力モードに自動的に移行する。ユーザがｔ６でテレビを例えば、リモートコントロールを用いてアクティブにすると、ＳＴＢは自動的に電源オンになる。これは、ユーザがＤＭＳにある映画又は画像の鑑賞を開始することができるようにＤＭＳを順に電源オンさせる。
【００３６】
本発明の変形例は、装置が「逆の」電力モードが自動的に選択する電力状態制御のために同一の構成及び発見メカニズムを使用することである。例えば、通常、テレビ又はネットワークラジオが電源オンされているならば（相互排他的）、テレビはネットワークラジオが電源オンされたことを検出したとき低電力モードに移行し、そしてネットワークラジオが電源オフされたとき再び通常電力モードに移行する。この変形例は、図５に概略的に示されている。装置が依存する他の装置がオフに切り替えられたか又は低電力モードに移行したか否かを装置は恒久的に又は繰り返しチェックする（１０）。これがその場合であるならば、電源オフ又は低電力モードにない残った関連装置があるか否かが判定される（１１）。装置が１つの関連装置を持っているだけならば、この判定ステップ１１を省略することができる。関連装置の全てが電源オフ又は低電力モードにあることが一度検出されると、装置は通常電力モードに移行する（１５）。この通常電力モードでは、装置は関連装置のいずれかが再びオンに切り替えられたか又は低電力モードから解除されたかどうかを監視する（１３）。これが一旦起こると、装置は再び低電力モードへ切り替わる（１６）。
ここで例としていくつかの付記を記載する。
（付記１）
装置（３０）の電力状態を制御する方法であって、
前記装置（３０）は２つ以上の他の装置（４０）に接続されており、
前記２つ以上の他の装置（４０）のうちの関連装置の電力状態を監視するステップ（１０）と、
前記２つ以上の他の装置（４０）のうちの全ての関連装置が低電力モードにある場合に、前記装置（３０）を低電力モードに切り替えるステップ（１２）と、
を含むことを特徴とする方法。
（付記２）
前記低電力モードにあるとき前記２つ以上の他の装置（４０）のうちの１つの関連装置が通常電力モードに移行したか否かを監視するステップ（１３）と、
前記装置（３０）を通常電力モードに切り替えるステップ（１４）と、
を更に含むことを特徴とする付記１記載の方法。
（付記３）
装置（３０）の電力状態を制御する方法であって、
前記装置（３０）は２つ以上の他の装置（４０）に接続されており、
前記２つ以上の他の装置（４０）のうちの関連装置の電力状態を監視するステップ（１０）と、
前記２つ以上の他の装置（４０）のうちの全ての関連装置が低電力モードにある場合に、前記装置（３０）を通常電力モードに切り替えるステップ（１５）と、
を含むことを特徴とする方法。
（付記４）
前記通常電力モードにあるとき前記２つ以上の他の装置（４０）のうちの１つの関連装置が通常電力モードに移行したか否かを監視するステップ（１３）と、
前記装置（３０）を低電力モードに切り替えるステップ（１６）と、
を更に含むことを特徴とする付記３記載の方法。
（付記５）
前記関連装置についての情報はメモリ（３５）から取り出されることを特徴とする付記１乃至４のいずれかに記載の方法。
（付記６）
前記２つ以上の他の装置（４０）のうちの関連装置の電力状態は、プロトコルメッセージ又はハンドシェイクの監視及びアクティブプロービングのうちの少なくとも１つを用いて監視される（１１，１３）ことを特徴とする付記１乃至４のいずれかに記載の方法。
（付記７）
装置（３０）の電力状態制御を設定する方法であって、
前記装置（３０）は１つ以上の他の装置（４０）に接続されており、
電力状態設定モードを活性化するステップ（２０）と、
当該接続された前記１つ以上の他の装置（４０）のうちのどれが通常電力モードにあるかを検出するステップ（２１）と、
前記電力状態設定モードを終了させるステップ（２４）と、
前記ステップ（２１）で前記通常電力モードにあるとして検出された前記他の装置を関連装置としてメモリ（３５）に格納するステップ（２５）と、
を含み、
前記電力状態制御は、全ての前記関連装置が低電力モードにあるとき前記装置を前記低電力モードに切り替え、又は前記関連装置の１つ以上が前記通常電力モードにあるとき前記装置を前記低電力モードに切り替えるように設定されていることを特徴とする方法。
（付記８）
装置（３０）の電力状態制御を設定する方法であって、
前記装置（３０）は１つ以上の他の装置（４０）に接続されており、  電力状態設定モードを活性化するステップ（２０）と、
当該接続された前記１つ以上の他の装置（４０）のうちのどれが低電力モードにあるかを検出するステップ（２１）と、
前記電力状態設定モードを終了させるステップ（２４）と、
前記ステップ（２１）で前記低電力モードにあるとして検出された前記他の装置を関連装置としてメモリ（３５）に格納するステップ（２５）と、
を含み、
前記電力状態制御は、前記関連装置の１つ以上が通常電力モードにあるとき前記装置を前記低電力モードに切り替えるように設定されていることを特徴とする方法。
（付記９）
前記通常電力モード又は前記低電力モードにある当該接続された前記他の装置（４０）だけが、少なくとも時間（ｔｄ）の特定の期間の間に前記メモリに格納される（２５）ことを特徴とする付記７又は８記載の方法。
（付記１０）
当該接続された前記他の装置（４０）のうちのどれが前記通常電力モード又は前記低電力モードにあるかを検出するステップ（２１）は、プロトコルメッセージ又はハンドシェイクを監視すること及びアクティブプロービングのうちの少なくとも１つを用いることを特徴とする付記７乃至９のいずれかに記載の方法。
（付記１１）
前記電力状態設定モードは、電力状態設定モード時間ウインドウの満了後に自動的に終了されることを特徴とする付記７乃至１０のいずれかに記載の方法。
（付記１２）
装置（３０）の電力状態を制御するコントローラ（３２）であって、
前記装置（３０）は２つ以上の他の装置（４０）に接続されており、
前記２つ以上の他の装置（４０）のうちの関連装置の電力状態を監視するステップ（１０）と、
前記２つ以上の他の装置（４０）のうちの全ての関連装置が低電力モードにある場合に、前記装置（３０）を低電力モードに切り替えるステップ（１２）と、
を実行するように構成されていることを特徴とするコントローラ。
（付記１３）
装置（３０）の電力状態を制御するコントローラ（３２）であって、
前記装置（３０）は２つ以上の他の装置（４０）に接続されており、
前記２つ以上の他の装置（４０）のうちの関連装置の電力状態を監視するステップ（１０）と、
前記２つ以上の他の装置（４０）のうちの全ての関連装置が低電力モードにある場合に、前記装置（３０）を通常電力モードに切り替えるステップ（１５）と、
を実行するように構成されていることを特徴とするコントローラ。
（付記１４）
装置（３０）の電力状態制御を設定するコントローラ（３２）であって、
前記装置（３０）は１つ以上の他の装置（４０）に接続されており、
電力状態設定モードを活性化するステップ（２０）と、
当該接続された前記１つ以上の他の装置（４０）のうちのどれが通常電力モードにあるかを検出するステップ（２１）
前記電力状態設定モードを終了させるステップ（２４）と、
前記ステップ（２１）で前記通常電力モードにあるとして検出された前記他の装置を関連装置としてメモリ（３５）に格納するステップ（２５）と、
を実行するように構成され、
前記電力状態制御は、全ての前記関連装置が低電力モードにあるとき前記装置を前記低電力モードに切り替え、又は前記関連装置の１つ以上が前記通常電力モードにあるとき前記装置を前記低電力モードに切り替えるように設定されていることを特徴とするコントローラ。
（付記１５）
装置（３０）の電力状態制御を設定するコントローラ（３２）であって、
前記装置（３０）は１つ以上の他の装置（４０）に接続されており、
電力状態設定モードを活性化するステップ（２０）と、
当該接続された前記１つ以上の他の装置（４０）のうちのどれが低電力モードにあるかを検出するステップ（２１）と、
前記電力状態設定モードを終了させるステップ（２４）と、
前記ステップ（２１）で前記低電力モードにあるとして検出された前記他の装置を関連装置としてメモリ（３５）に格納するステップ（２５）と、
を実行するように構成され、
前記電力状態制御は、前記関連装置の１つ以上が通常電力モードにあるとき前記装置を前記低電力モードに切り替えるように設定されていることを特徴とするコントローラ。
【図１】
0006683410.tif 000002
【図２】
0006683410.tif 000003
【図３】
0006683410.tif 000004
【図４】
0006683410.tif 000005
【図５】
0006683410.tif 000006